(57)【要約】【課題】異なるモダリティから送信された複数の画像を、１つのモニタ上に同時に表示する際に、モノクロ画像とカラー画像とを混在して表示する場合であっても、各画像に応じた最適な階調で、各画像を容易に再現することの可能な画像表示方法および画像表示システムを提供する。【解決手段】画像処理装置において、画像データの送信元のモダリティを識別し、各モダリティに応じた階調補正のためのルックアップテーブルまたは補正係数を画像データに適用して、さらに、モニタ特性に応じた階調補正を画像データに施すことにより、前記課題を解決する。【選択図】図１
2008006191.tif 000002
【特許請求の範囲】
【請求項１】
医療用診断装置による診断画像に画像処理を施して、モニタに出力する画像処理装置であって、
前記診断画像の出力源となる医療用診断装置の種類を識別する識別手段と、医療用診断装置の種類ごとに設定された補正条件を有し、前記識別手段が識別した医療用診断装置に応じた補正条件で前記診断画像の階調補正を行う補正手段と、前記モニタの表示画面における診断画像の表示位置を設定する位置設定手段とを有することを特徴とする画像処理装置。
【請求項２】
前記補正条件が、前記診断画像を処理するルックアップテーブルである請求項１に記載の画像処理装置。
【請求項３】
前記ルックアップテーブルが、モニタの表示能力に応じた診断画像の階調数の拡張も行う請求項２に記載の画像処理装置。
【請求項４】
前記補正条件が、前記診断画像の補正を行う演算に係る補正係数、および、前記診断画像の補正を行う演算に係る補正係数の算出手段の少なくとも一方である請求項１または２に記載の画像処理装置。
【請求項５】
前記演算が、モニタの表示能力に応じた診断画像の階調数の拡張も行う請求項４に記載の画像処理装置。
【発明の詳細な説明】
【技術分野】
【０００１】
本発明は、複数の画像データを１つの表示手段に表示する画像処理装置に関する。
【背景技術】
【０００２】
医療現場では、ＣＲ装置、ＣＴ装置、ＭＲＩ装置、内視鏡装置、超音波診断装置（エコー）等のような医療用の診断装置（以下、モダリティという）により得られるデジタル化された医療用画像データを画像表示装置に転送して、表示する画像表示システムが構築されている。
また、近年では、カラーディスプレイの技術の進歩により、Ｘ線画像などの高輝度かつ高い階調特性が要求されるモノクロ画像についてもカラーディスプレイで表示することが可能となってきた。これにより、医療用の画像表示システムにおいて、一つのモニタ上に、カラー画像とモノクロ画像とを混在して表示させたいという要望が出てきた。
【０００３】
一つのモニタ上に複数の画像を混在して表示させる際には、画像ごとの階調特性に応じて、各画像に独立した階調補正処理を行うことが必要である。これを実現する方法として、例えば、特許文献１は、ルックアップテーブル（ＬＵＴ）用のメモリを複数個並列に設けることにより、画像ごとの明るさ及びコントラストを独立して調整する発明を開示している。この発明によれば、複数の画像に対応する複数のＬＵＴを有し、オペレータがテレビモニタを見ながら各画像の明るさおよびコントラストを独立して調整することにより、複数の画像を同時に表示する際に、各画像を適正な階調で表示することができる。
【０００４】
また、特許文献２には、複数のＬＵＴ変換テーブルを有し、識別子番号により、表示画像に対応するＬＵＴ変換テーブルを検索して、これに、アプリケーションプログラムから命令された色調を使用することにより、各画像に適正な階調処理を施して表示する方法が開示されている。
【０００５】
【特許文献１】特開昭６３−２４６７８８号公報
【特許文献２】特開昭６２−１３６６９５号公報
【発明の開示】
【発明が解決しようとする課題】
【０００６】
しかし、引用文献１のような階調補正の方法を行う際には、画像を表示した後に、マニュアルで階調補正を行うため、操作が煩わしく、また、画像の数が多くなるにつれて、オペレータの作業量が増えるため、効率的であるとはいえない。また、特許文献１および２の方法においては、予め同時に表示する画像の数の上限を決めておく必要があり、効率よく各画像の階調補正を行うことはできない。
さらに、モダリティから転送される画像データが、モニタで表示可能なビット数よりも小さいものである場合、階調変換により、画像データをモニタでのビット数にあわせたデータに展開する。しかし、従来の階調変換の方法は、単純に画像データの階調を正比例させるものであり、モニタが持っている階調特性を十分に生かすことができなかった。
【０００７】
また、医療用画像の複数表示においては、Ｘ線画像などの高輝度が要求されるモノクロ画像と、それ程高輝度を要求されないカラー画像とを混在表示させた際に、カラー画像の見えがモノクロ画像の見えに比べて明るすぎたり、または鮮やかすぎたりすることがある。すると、見る者の目がカラー画像の明るさや鮮やかさに順応してしまい、モノクロ画像自体は変化していないのにも関わらず、モノクロ画像がカラー画像に比べて、沈んだ印象の見えにくい画像となってしまい、診断性能が低下するという問題が起きてしまう。
また、各モダリティにおいて、基準白色や色温度はそれぞれ異なるため、１つのモニタに異なるモダリティから得た複数の画像を表示する場合や、あるいは、複数のモニタを並べて、各モニタにそれぞれ異なるモダリティから得た画像を表示する場合なども、見る者の目が基準白色や色温度の高い画像に順応してしまい、色温度の差を通常よりも大きく感じてしまう。
【０００８】
本発明の目的は、前記従来技術の問題点を解決することにあり、異なるモダリティから送信された複数の画像を、１つのモニタ上に同時に表示する際に、モノクロ画像とカラー画像とを混在して表示する場合であっても、モダリティの階調特性およびモニタの輝度設定に応じた最適な階調、かつ、モニタの階調特性に応じた階調で、各画像を容易に再現することの可能な画像処理装置を提供することにある。
【課題を解決するための手段】
【０００９】
前記目的を達成するために、本発明は、医療用診断装置による診断画像に画像処理を施して、モニタに出力する画像処理装置であって、前記診断画像の出力源となる医療用診断装置の種類を識別する識別手段と、医療用診断装置の種類ごとに設定された補正条件を有し、前記識別手段が識別した医療用診断装置に応じた補正条件で前記診断画像の階調補正を行う補正手段と、前記モニタの表示画面における診断画像の表示位置を設定する位置設定手段とを有することを特徴とする画像処理装置を提供する。
【００１０】
このような本発明においては、前記補正条件が、前記診断画像を処理するルックアップテーブルであることが好ましく、さらに、前記ルックアップテーブルが、モニタの表示能力に応じた診断画像の階調数の拡張も行うことが好ましい。
【００１１】
あるいは、前記補正条件が、前記診断画像の補正を行う演算に係る補正係数、および、前記診断画像の補正を行う演算に係る補正係数の算出手段の少なくとも一方であることが好ましく、さらに、前記演算が、モニタの表示能力に応じた診断画像の階調数の拡張も行うことが好ましい。
【発明の効果】
【００１２】
このような本発明によれば、異なる医療用診断装置から送信された複数の画像を、１つのモニタ上に同時に表示する際に、各医療用診断装置に応じた階調補正を行うことにより、モノクロ画像とカラー画像とを混在して表示する際にも、各画像を、医療用診断装置の階調特性、およびモニタの輝度設定や色温度に応じた最適な階調で容易に再現することができる。さらに、モニタの階調特性を十分に生かした、滑らかな階調での画像表示が可能となる。
【発明を実施するための最良の形態】
【００１３】
以下に、本発明の画像処理装置を有する画像表示システムについて説明する。
図１は、本発明の画像処理装置を有する画像表示システムの第１の実施形態を示すブロック図である。
【００１４】
図１に示す画像表示システム１０は、医療用診断装置１２（以下、モダリティ１２とする）と、画像処理装置１４（以下、処理装置１４という）と、モニタ１６とを有する。
【００１５】
モダリティ１２（１２ａおよび１２ｂ）は、例えば、ＣＲ装置、ＣＴ装置、ＭＲＩ装置、内視鏡装置、超音波診断装置（エコー）等の医療用の診断装置であり、モダリティ１２ａと１２ｂとは、例えばＣＲ装置とＭＲＩ装置などのように、互いに異なるモダリティである。なお、図１においては、モダリティ１２は２つしか表示していないが、処理装置１４は、３つ以上のモダリティ１２と接続されていてもよい。
モダリティ１２は、基本的に、公知の医療用の診断装置であり、撮影した診断画像の画像データや撮影媒体から読み取った診断画像の画像データに、自身（少なくともモダリティ１２の種類）を識別するための識別情報（以下、識別タグという）を付して、後述する処理装置１４などの指定の場所あるいは指示された場所に出力する。
【００１６】
処理装置１４は、モダリティ１２による診断画像の画像データに、後述する階調補正を施して、モニタ１６に出力するものである。
なお、図示例の画像表示システム１０においては、処理装置１４は、モダリティ１２から直接的に画像データを取得しているが、本発明はこれに限定されず、例えば、ＤＩＣＯＭ（Digital Image and Communication in Medicine「医療用画像データや波形データ等の伝送規格」）を利用して形成された画像ネットワークシステム（すなわち、処理装置１４が、この画像ネットワークシステムに組み込まれる）や、処理装置１４が接続される診断画像用のサーバ等、各種の部位から画像データを取得してもよいのは、もちろんである。
【００１７】
図示例において、処理装置１４は、モダリティ１２から受け取った画像データの識別タグを読み取るタグ情報読取り手段２２、各モダリティ１２に応じたモダリティ階調補正ルックアップテーブル（以下、モダリティＬＵＴという）を記憶するＬＵＴ用メモリ２４、モダリティＬＵＴを用いて画像データに階調補正を施す補正手段２６、画像データのモニタ１６の画面上での表示位置を決定する位置設定手段２８を有する。
このような処理装置１４は、例えば、パーソナルコンピュータ等を利用して構成され、処理装置１４には、キーボードやマウス等の操作手段３０が接続される。
【００１８】
タグ情報読取り手段２２は、モダリティ１２から受け取った画像データに添付されている識別タグを読取り、これを基に送付元のモダリティ１２を識別する。さらに、識別結果をＬＵＴ用メモリ２４に送る。
【００１９】
ＬＵＴ用メモリ２４は、各モダリティ１２に応じた階調補正を行うための、モダリティＬＵＴを記憶するためのメモリである。
ここで、モダリティＬＵＴとは、モダリティごとの階調特性とモニタ１６の輝度設定に応じて予め作製される、階調補正のためのルックアップテーブルである。つまり、モダリティＬＵＴは、各モダリティに対応して、複数作製され、ＬＵＴ用メモリ２４に記憶されている。
【００２０】
診断画像には、モダリティの種類に応じて、好ましい表示特性がある。例えば、ＭＲＩ装置等によるカラー画像に比して、ＣＲ装置等から出力されるＸ線画像は、モノクロ画像であるために、高い輝度および高い階調数が要求される。
１台のモニタが１種のモダリティに対応する単体表示であれば、問題はない。しかしながら、前述のように、カラー画像とモノクロ画像など、画像に要求される階調特性の異なる複数の画像を１台のモニタに混在表示させる際には、例えば、モノクロ画像に表示特性を合わせると、カラー画像が明るすぎてしまう等の問題がある。
【００２１】
モダリティＬＵＴは、このような不都合を解決して、１台のモニタにモノクロの診断画像とカラーの診断画像など、異なるモダリティによる画像を混在表示する際に、いずれの画像も、各モダリティに応じた適正な階調特性となるように、モダリティから供給された画像の階調補正を行うものである。
図示例において、モニタ１６は、最も高い表示輝度が要求されるモダリティ１２に応じて輝度が設定されている。モダリティＬＵＴは、このモニタ１６の輝度設定とモダリティ１２との組み合わせに応じて、モニタ１６による表示画像がモダリティ１２に応じた適正な階調特性の画像となるように、モダリティ１２ごとに作製される。
ＬＵＴ用メモリ２４は、このモダリティＬＵＴを記憶する。
【００２２】
図示例の処理装置１４は、このようにモダリティ１２ごとに設定された階調補正のルックアップテーブルであるモダリティＬＵＴを有することにより、異なるモダリティ１２から供給された複数の画像をモニタ１６に混在表示する場合に、いずれの画像も、そのモダリティ１２に応じた適正な階調特性の画像とすることができ、高画質な診断画像の混在表示により、正確かつ適正な診断を迅速に行うことを可能にする。
【００２３】
画像表示システム１０において、モダリティＬＵＴは、外部で作製してＬＵＴ用メモリ２４に記憶しても、あるいは、モニタ１６の最高輝度設定の変更等に応じて、処理装置１４の内部で自動的に作製して、ＬＵＴ用メモリ２４に記憶してもよい。
なお、モダリティＬＵＴは、単体表示のモニタで用いられている階調補正用のＬＵＴに準じて、公知の方法で作製すればよい。
【００２４】
ここで、モダリティＬＵＴは、好ましい態様として、モニタ１６の表示能力（表示の階調数）が、入力された画像データの階調数よりも高い場合には、前記階調補正を行うと共に、モニタ１６の表示能力に応じて画像データの階調を拡張する。
例えば、供給された画像データが８ｂｉｔ（２５６階調）で、モニタの表示能力が１０ｂｉｔである場合には、階調補正を行うと共に、画像データを８ｂｉｔから１０ｂｉｔに拡張する。
【００２５】
前述のように、処理装置１４はＰＣ等を利用して構成される。ＰＣでは、一般的に、画像データは、８ｂｉｔ（２５６階調）のデータとして扱う場合が多い。一方で、近年、モニタの表示の能力は向上しており、例えば１０ｂｉｔなど、８ｂｉｔを越える高階調数の表示能力を有するモニタも少なくない。すなわち、従来の画像表示システムでは、モニタの有する階調特性を十分に生かしきれていないのが現状である。
さらに、診断画像がＣＲ装置等から出力されたモノクロ画像である場合には、高輝度で高階調の表示画像が要求されるのは、前述の通りである。
【００２６】
これに応じて、モダリティＬＵＴにおいて、階調補正と共に、モニタの表示能力に応じて階調を拡張することにより、異なるモダリティから供給された複数画像をモニタに混在表示する際に、前述のように各画像の階調をモダリティに応じた適正な階調特性とすると共に、ＣＲ装置等から出力されたモノクロ画像（そのウインドウ）は、高輝度かつ高階調のモノクロ画像とし、ＭＲＩ装置等から出力されたカラー画像（そのウインドウ）は、輝度が適正な視認性の良好なカラー画像とすることができる。
なお、階調の拡張も、ＬＵＴを用いる公知の方法に準じて行えばよい。
ＬＵＴ用メモリ２４は、タグ情報読取り手段２２から受け取った送信元のモダリティ１２の識別結果を基に、モダリティ１２のモダリティＬＵＴを検索して、該当するモダリティＬＵＴを補正手段２６へ送る。
【００２７】
補正手段２６は、ＬＵＴ用メモリ２４から受け取ったモダリティＬＵＴを用いて、画像データに階調補正を施す。
位置設定手段２８は、各モダリティ１２から供給された画像データ（その画像を表示するウインドウ）のモニタ１６の画面上での表示位置を設定するものである。
すなわち、モダリティ１２ａから供給された画像の表示位置は此処、モダリティ１２ｂから供給された画像の表示位置は此処というように、モニタ１６の表示画面上における、各モダリティ１２の画像の表示位置を設定するものである。
【００２８】
従来の診断画像の表示は、１種のモダリティに１台のモニタが対応する単体表示が通常である。これに対し、処理装置１４は、この位置設定手段２８を有することにより、モダリティ１２ａおよびモダリティ１２ｂのように、互いに異なるモダリティ１２から供給された画像を１つの表示画面に表示する、混在表示を可能にしている。
画像の表示位置は、例えば、モダリティごとに、予め固定の位置を設定されていてもよいし、オペレータが操作手段３０などを用いて適宜入力指示してもよく、あるいは、モダリティ１２が指示してもよい。設定された表示位置のデータは、位置情報として、画像データと共にモニタ１６へ送られる。
なお、処理装置１４は、このような階調補正および階調の拡張以外にも、色／濃度補正、欠陥画素補正、シャープネス処理、モニタ１６等での表示に対応する画像データへの変換など、必要に応じて、公知の診断画像の表示システムで実施されている各種の画像処理を行ってもよいのは、もちろんである。
【００２９】
モニタ１６は、処理装置１４から画像データおよび位置情報を受け取り、画面上の、受け取った位置情報に対応する位置に画像データを表示するものであり、ＬＣＤ、ＣＲＴ等、公知の表示手段が全て利用可能である。
モニタ１６は、受け取った位置情報に基づいて、操作手段３０などを用いて、画像データをモニタ１６の画面上に表示する。
【００３０】
次に、本発明の画像表示システム１０における画像データの階調補正および画像の表示方法について、詳細に説明する。
【００３１】
モダリティ１２は、前述のように、撮影した診断画像の画像データや撮影媒体から読み取った診断画像の画像データに識別タグを添付して、処理装置１４へ出力する。
処理装置１４では、画像データと識別タグを受け取り、タグ情報読取り手段２２において、画像データに添付されているタグ情報を読み取り、画像データの送付元のモダリティ１２を識別する。さらに、識別したモダリティ１２の情報をＬＵＴ用メモリ２４へ送る。
ＬＵＴ用メモリ２４は、タグ情報読取り手段２２から受け取ったモダリティ１２の識別結果を基に、該当するモダリティ１２の階調特性に基づくモダリティＬＵＴを検索し、補正手段２６へ送る。補正手段２６は、画像データに対して、受け取ったモダリティＬＵＴを用いて階調補正処理を行う。
階調補正を施された画像データは、位置設定手段２８へ送られる。
【００３２】
位置設定手段２８では、受け取った画像データをモニタ１６に表示する際の、画面上の表示位置を設定する。設定は、上述したように、各モダリティに応じて、予め固定の位置を設定していてもよいし、オペレータが操作手段３０を用いて指定してもよく、あるいは、モダリティ１２が指示してもよい。
表示位置が決定すると、処理装置１４は、階調補正を施された画像データと、画像データの表示位置を示す位置情報とをまとめて、モニタ１６へ送信する。
【００３３】
モニタ１６は、処理装置１４から画像データおよび位置情報を受け取ると、位置情報に基づいて画像データの画面上の表示位置を決定し、画像の表示を行う。
【００３４】
このような画像処理装置１４を有する画像表示システム１０によれば、異なるモダリティ１２から送信された複数の画像を、モニタ１６で同時に表示する際に、各モダリティ１２の階調特性やモニタ１６の輝度、および階調特性に応じたルックアップテーブルを適用して階調補正を行うことにより、モノクロ画像とカラー画像とを混在して表示する際にも、各画像を、モダリティ１２の階調特性およびモニタ１６の輝度設定に応じた最適な階調で容易に再現することができる。さらに、モニタ１６の階調特性を十分に生かした、滑らかな階調での画像表示が可能となる。
【００３５】
なお、本実施例においては、モダリティＬＵＴによる階調補正を処理装置１４で行っているが、本発明はこれに限定されず、例えばモニタ１６がＬＵＴ用メモリを有する構成として、モニタ１６で、モダリティＬＵＴによる階調補正を行うようにしてもよい。
【００３６】
以上の実施例においては、モダリティの階調特性、モニタの輝度および階調特性に応じて予め作製したモダリティごとの階調補正テーブルを用いることにより、各画像データに最適な階調補正を行い、これをモニタに表示する方法について述べたが、本発明では、輝度以外にも、色温度の設定に応じた補正係数を用いて、最適な階調の画像をモニタに表示することもできる。この方法について以下に詳述する。
【００３７】
図２は、本発明の画像処理装置を有する画像表示システムの第２の実施形態を示すブロック図である。
なお、図２に示す画像表示システム４０において、補正係数メモリ５４、補正手段５６以外の構成については、図１に示したものと同様であるため、同じ部位には同じ符号を付し、以下の説明は、図１と異なる部位を主に行う。
【００３８】
図２に示す画像表示システム４０において、補正係数メモリ５４は、各モダリティ１２に応じた階調補正を行うための補正係数を記憶するためのメモリである。つまり、補正係数は、各モダリティに対応して、複数作製され、補正係数メモリ５４に記憶されている。
ここで、補正係数とは、各モダリティ１２の色温度とモニタ１６の色温度の設定および階調特性に応じて予め算出される、階調補正のための補正係数である。
つまり、補正係数は、各モダリティ１２に対応して、複数作製され、補正係数メモリ５４に記憶されている。
【００３９】
補正係数は、１台のモニタに異なるモダリティ１２による画像を混在表示する際に、モダリティ１２から供給された画像の階調補正を行うものである。
図示例において、モニタ１６は、最も高い表示輝度が要求されるモダリティに応じて色温度が設定されている。補正係数は、このモニタの色温度の設定とモダリティ１２との組み合わせに応じて、モニタ１６による表示画像がモダリティ１２に応じた適正な階調特性の画像となるように、モダリティ１２ごとに作製される。補正係数は、例えば、ＲＧＢのゲインを変える構成として、アナログ的に補正を行うものとすればよい。また、パラメータを離散的にいくつか有し、補間して補正を行うものとしてもよい。
補正係数メモリ５４は、この補正係数を記憶する。
【００４０】
図示例の処理装置４４は、このようにモダリティ１２ごとに設定された階調補正の補正係数を有することにより、異なるモダリティ１２から供給された複数の画像をモニタ１６に混在表示する場合に、いずれの画像も、そのモダリティ１２に応じた適正な階調特性の画像とすることができ、高画質な診断画像の混在表示により、正確かつ適正な診断を迅速に行うことを可能にする。
【００４１】
画像表示システム４０において、補正係数は、外部で作製して補正係数メモリ５４に記憶しても、あるいは、モニタ１６の色温度設定の変更等に応じて、処理装置４４の内部で自動的に作製して、補正係数メモリ５４に記憶してもよい。
なお、補正係数は、単体表示のモニタで用いられている階調補正において用いる補正係数に準じて、公知の方法で作製すればよい。
【００４２】
ここで、補正係数は、好ましい態様として、モニタ１６の表示能力（表示の階調数）が、入力された画像データの階調数よりも高い場合には、前記階調補正を行うと共に、モニタ１６の表示能力に応じて画像データの階調を拡張するものである。
あるいは、補正手段５６は、モニタ１６の階調補正および拡張を行うＬＵＴを有し、これを用いて画像データの階調補正および拡張を行うようにしてもよい。
【００４３】
補正係数メモリ５４は、タグ情報読取り手段２２から受け取った送信元のモダリティ１２の識別結果を基に、モダリティ１２の補正係数を検索して、該当する補正係数を補正手段５６へ送る。
【００４４】
補正手段５６は、補正係数メモリ５４から受け取った補正係数を用いて、画像データに階調補正を施す。
【００４５】
次に、本発明の画像表示システム４０における画像データの階調補正および画像の表示方法について、詳細に説明する。
第１の実施形態と同様に、モダリティ１２は、撮影した診断画像の画像データや撮影媒体から読み取った診断画像の画像データに識別タグを添付して、処理装置４４へ出力する。
処理装置４４では、画像データと識別タグを受け取り、タグ読取り手段２２において、画像データに添付されているタグ情報を読み取り、画像データの送付元のモダリティ１２を識別する。さらに、識別したモダリティ１２の情報を補正係数メモリ５４へ送る。
【００４６】
補正係数メモリ５４は、タグ読取り手段２２から受け取ったモダリティ１２の識別結果を基に、該当するモダリティ１２の補正係数を検索し、補正手段５６へ送る。補正手段５６は、画像データに対して、受け取った補正係数を用いて階調補正処理を行う。
階調補正を施された画像データは、位置設定手段２８へ送られる。
【００４７】
位置設定手段２８では、受け取った画像データをモニタ１６に表示する際の、画面上の表示位置を設定する。設定は、第１の実施形態において上述したような方法により行えばよい。
表示位置が決定すると、処理装置４４は、階調補正を施された画像データと、画像データの表示位置を示す位置情報とをまとめて、モニタ１６へ送信する。
【００４８】
モニタ１６は、処理装置４４から画像データおよび位置情報を受け取ると、位置情報に基づいて画像データの画面上の表示位置を決定し、画像の表示を行う。
【００４９】
このような画像処理装置４４を有する画像表示システム４０によれば、モダリティ１２に応じた補正係数を用いることにより、各モダリティ１２の階調特性やモニタ１６の色温度に応じた階調補正を行うことができる。これにより、モノクロ画像とカラー画像とを混在して表示する際にも、各画像を、モダリティ１２の色温度およびモニタ１６の色温度設定に応じた最適な階調で容易に再現することができる。さらに、モニタ１６の階調特性を十分に生かした、滑らかな階調での画像表示が可能となる。
【００５０】
なお、本実施例においては、補正係数を予め補正係数メモリ５４に記憶し、必要に応じて検索しているが、本発明はこれに限定されず、補正係数は予め記憶せずに、処理装置４４において画像データを受け取った際に、例えば補正手段５６などにおいて、各モダリティ１２の色温度とモニタ１６の色温度の設定とから、その都度、補正係数を算出して適用してもよい。
【００５１】
以上のような本発明によれば、異なるモダリティから送信された複数の画像を、１つのモニタ上に同時に表示する際に、各モダリティの階調特性やモニタの輝度あるいは色温度に応じた階調補正を行うことにより、モノクロ画像とカラー画像とを混在して表示する際にも、各画像を最適な階調で容易に再現することができる。
さらに、モニタでのビット数に応じて画像を展開する際に、モニタの階調特性に応じた階調補正を各画像に施すため、モニタの階調特性を十分に生かした、滑らかな階調での画像表示が可能となる。
【００５２】
以上、本発明の画像処理装置について詳細に説明したが、本発明は上記実施態様に限定はされず、本発明の主旨を逸脱しない範囲において、各種の改良や変更をしてもよいのはもちろんである。
【図面の簡単な説明】
【００５３】
【図１】本発明の画像処理装置を有する画像表示システムの第１の実施形態を示すブロック図である。
【図２】本発明の画像処理装置を有する画像表示システムの第２の実施形態を示すブロック図である。
【符号の説明】
【００５４】
１０、４０  画像表示システム
１２ａ、１２ｂ  医療用診断装置（モダリティ）
１４、４４  画像処理装置（処理装置）
１６  モニタ
２２  タグ情報読取り手段
２４  ＬＵＴ用メモリ
２６  補正手段
２８  位置設定手段
３０  操作手段
５４  補正係数メモリ
５６  補正手段
【図１】
2008006191.tif 000003
【図２】
2008006191.tif 000004